(57)【要約】【課題】プロジェクタのランプパワーを適切に自動設定する。【解決手段】情報処理装置は、位置情報を格納し、且つユーザに保持される第１の通信端末との間で通信を行った場合に該第１の通信端末の識別情報と前記位置情報を通知するとともに、スクリーンに取り付けられる第２の通信端末との間で通信を行った場合に該第２の通信端末の識別情報と前記位置情報を通知する複数の位置情報通知装置との間で通信を行う通信部と、通信部で受信した各位置情報通知装置からの位置情報に基づいて、第２の通信端末と第1の通信端末の各々との間の距離から、スクリーンとユーザとの間の距離の推定値を求め、該推定値に基づいて、スクリーンに映像を投影する投影装置に設定するランプパワーを決定する制御部とを有する。通信部は、制御部により決定されたランプパワー情報を前記投影装置に通知する。【選択図】図２
2015022017.tif 000002
【特許請求の範囲】
【請求項１】
位置情報を格納し、且つユーザに保持される第１の通信端末との間で通信を行った場合に該第１の通信端末の識別情報と前記位置情報を通知するとともに、スクリーンに取り付けられる第２の通信端末との間で通信を行った場合に該第２の通信端末の識別情報と前記位置情報を通知する複数の位置情報通知装置との間で通信を行う通信部と、
前記通信部で受信した各位置情報通知装置からの位置情報に基づいて、前記第２の通信端末と前記第1の通信端末の各々との間の距離から、前記スクリーンと前記ユーザとの間の距離の推定値を求め、
該推定値に基づいて、前記スクリーンに映像を投影する投影装置に設定するランプパワーを決定する制御部と
を有し、
前記通信部は、前記制御部により決定されたランプパワー情報を前記投影装置に通知する、情報処理装置。
【請求項２】
前記制御部は、前記通信部で受信した各位置情報通知装置からの位置情報に基づいて、前記第２の通信端末と前記第1の通信端末の各々との間の距離の平均値を求めることにより、前記スクリーンと前記ユーザとの間の距離の推定値を求める、請求項１に記載の情報処理装置。
【請求項３】
前記第１の通信端末および第２の通信端末と、前記位置情報通知装置とは、近距離無線通信技術により通信を行う、請求項１又は２に記載の情報処理装置。
【請求項４】
前記制御部は、前記第１の通信端末の識別情報に基づいて、該第１の通信端末の位置情報が変更されている場合に、ランプパワーを変更する、請求項１ないし３のいずれか１項に記載の情報処理装置。
【請求項５】
位置情報を格納し、且つユーザに保持される第１の通信端末との間で通信を行った場合に該第１の通信端末の識別情報と前記位置情報を通知するとともに、スクリーンに取り付けられる第２の通信端末との間で通信を行った場合に該第２の通信端末の識別情報と前記位置情報を通知する複数の位置情報通知装置との間で通信を行い、
各位置情報通知装置からの位置情報に基づいて、前記第２の通信端末と前記第1の通信端末の各々との間の距離から、前記スクリーンと前記ユーザとの間の距離の推定値を求め、
該推定値に基づいて、前記スクリーンに映像を投影する投影装置に設定するランプパワーを決定し、
前記ランプパワーを前記投影装置に通知する、情報処理装置が実行する情報処理方法。
【発明の詳細な説明】
【技術分野】
【０００１】
本発明は、通信システムに関する。
【背景技術】
【０００２】
近年、プロジェクタやモニターなどの表示装置に、PC(Personal Computer)などの映像機器の画面を出力するビデオ出力インタフェースからの信号を無線伝送し、投影する技術が開発されている。この技術は、無線ネットワークプロジェクタシステムと呼ばれる。無線ネットワークプロジェクタシステムは、ケーブル等を使用せずに、無線LANやミリ波通信を利用して無線ネットワークを構成する。
【０００３】
プロジェクタで投影した画像を見るユーザがスクリーンに近い場所にいる場合、プロジェクタのランプがあまり明るくなくても画像を見ることができる場合が多い。プロジェクタのランプが明るいとスクリーンからの反射光によりユーザにまぶしさを与える場合もある。
【０００４】
一方、プロジェクタで投影した画像を見るユーザがスクリーンから遠い場所にいる場合には、プロジェクタのランプが明るくないと画像が見づらい場合が多い。
【０００５】
以上のように、ユーザとスクリーンとの間の距離により、プロジェクタのランプの適切な明るさ、換言すればランプパワーは異なる。
【０００６】
ランプの長寿命化の目的で、距離、照度、及びズームに応じてランプの発光量を決定する投影装置が知られている（例えば、特許文献１参照）。
【発明の概要】
【発明が解決しようとする課題】
【０００７】
プロジェクタのランプパワーを変更する場合には、ユーザ自らプロジェクタを操作しなければならない。
【０００８】
そこで、本発明は、プロジェクタのランプパワーを適切に自動設定することを目的とする。
【課題を解決するための手段】
【０００９】
開示の一実施例の情報処理装置は、
位置情報を格納し、且つユーザに保持される第１の通信端末との間で通信を行った場合に該第１の通信端末の識別情報と前記位置情報を通知するとともに、スクリーンに取り付けられる第２の通信端末との間で通信を行った場合に該第２の通信端末の識別情報と前記位置情報を通知する複数の位置情報通知装置との間で通信を行う通信部と、
前記通信部で受信した各位置情報通知装置からの位置情報に基づいて、前記第２の通信端末と前記第1の通信端末の各々との間の距離から、前記スクリーンと前記ユーザとの間の距離の推定値を求め、
該推定値に基づいて、前記スクリーンに映像を投影する投影装置に設定するランプパワーを決定する制御部と
を有し、
前記通信部は、前記制御部により決定されたランプパワー情報を前記投影装置に通知する。
【発明の効果】
【００１０】
開示の実施例によれば、プロジェクタのランプパワーを適切に自動設定することができる。
【図面の簡単な説明】
【００１１】
【図１】通信システムの一実施例を示す図である。
【図２】通信システムの一実施例を示すブロック図である。
【図３】位置情報検出機の位置情報の一例を示す図である。
【図４】位置情報検出機の一実施例を示す機能ブロック図である。
【図５】第１の通信端末および第２の通信端末の端末情報の一例を示す図である。
【図６】第１の通信端末の一実施例を示す機能ブロック図である。
【図７】第２の通信端末の一実施例を示す機能ブロック図である。
【図８】プロジェクタの適切なランプパワーの一例を示す図である。
【図９】サーバの一実施例を示す機能ブロック図である。
【図１０】サーバに格納される情報の一例を示す図である。
【図１１】プロジェクタの一実施例を示す機能ブロック図である。
【図１２】通信システムの動作の一実施例を示すシーケンスチャートである。
【図１３】サーバの動作の一実施例を示すフローチャートである。
【発明を実施するための形態】
【００１２】
次に、本発明を実施するための形態を、以下の実施例に基づき図面を参照しつつ説明する。以下で説明する実施例は一例に過ぎず、本発明が適用される実施の形態は、以下の実施例に限られない。
なお、実施例を説明するための全図において、同一機能を有するものは同一符号を用い、繰り返しの説明は省略する。
【００１３】
＜実施例＞
＜通信システム＞
図１は、無線ネットワークプロジェクタシステムの一実施例を示す。
【００１４】
無線ネットワークプロジェクタシステムは、位置情報通知装置としての位置情報検出機１００ａ、１００ｂ、１００ｃ、１００ｄ、１００ｅ、１００ｆ、１００ｇ、１００ｈ、１００ｉ、および１００ｊと、第１の通信端末２００ａ、２００ｂ、２００ｃ、および２００ｄと、スクリーン３００と、第２の通信端末４００と、プロジェクタ（投影装置）５００と、情報処理装置としてのサーバ６００とを備える。
【００１５】
本実施例では、位置情報検出機１００ａ、１００ｂ、１００ｃ、１００ｄ、１００ｅ、１００ｆ、１００ｇ、１００ｈ、１００ｉ、および１００ｊ（位置情報検出機１００ａ−１００ｊ）のうち任意の位置情報検出機を示す場合には「位置情報検出機１００」を用いる。また、本実施例では、第１の通信端末２００ａ、２００ｂ、２００ｃ、および２００ｄ（第１の通信端末２００ａ−２００ｄ）のうち任意の位置情報検出機を示す場合には「第１の通信端末２００」を用いる。
【００１６】
位置情報検出機１００ａ−１００ｊと、プロジェクタ５００と、サーバ６００との間は通信網７００を介して接続される。
【００１７】
位置情報検出機１００ａ−１００ｊは、屋内αの天井β側に設置される。第１の通信端末２００ａ−２００ｄは、スクリーン３００に映る画像を見るユーザに保持され、屋内αの床側に位置する。無線ネットワークプロジェクタシステムの一実施例では、会議室を例として説明するが、会議室以外の屋内に無線ネットワークプロジェクタシステムが導入される場合についても適用できる。また、上方に位置情報検出機１００ａ−１００ｊを配置することにより、屋外に無線ネットワークプロジェクタシステムを導入できる。
【００１８】
各第１の通信端末２００ａ−２００ｄは、Bluetooth（登録商標）、ZigBee（登録商標）などの近距離無線通信技術による無線通信機能を備える。各第１の通信端末２００ａ−２００ｄは、識別情報を保持する。各第１の通信端末２００ａ−２００ｄは、位置情報検出機１００ａ−１００ｊのうち、近傍の位置情報検出機１００へ、識別情報を通知する。各第１の通信端末２００ａ−２００ｄの機能をＩＤカードに備えるようにしてもよい。
【００１９】
第２の通信端末４００は、第１の通信端末２００と同様の構成である。つまり、第２の通信端末４００は、Bluetooth（登録商標）、ZigBee（登録商標）などの近距離無線通信技術による無線通信機能を備える。第２の通信端末４００は、識別情報を保持する。第２の通信端末４００は、プロジェクタ５００の投影する画像を映すスクリーン３００に取り付け（貼り付け）られるか又はスクリーン３００の近傍に設置される。
【００２０】
第２の通信端末４００は、位置情報検出機１００ａ−１００ｊのうち、近傍の位置情報検出機１００へ、識別情報を通知する。
【００２１】
各位置情報検出機１００ａ−１００ｊは、近距離無線通信技術による無線通信機能を備える。各位置情報検出機１００ａ−１００ｊは、第１の通信端末２００および第２の通信端末４００からの識別情報を受信する。各位置情報検出機１００ａ−１００ｊは、会議室の天井βに複数台設置される。
【００２２】
各位置情報検出機１００ａ−１００ｊは、それぞれが設置される位置（それぞれが設置された後は「設置された位置」を意味する）を示す位置情報を格納する。設置される位置は、緯度、経度により表される。さらに、設置される位置は、会議室の識別子（会議室Ｎｏ．）により表されてもよい。また、設置される位置は、緯度、経度に限らず、会議室において、ある位置を原点とする座標系が用意され、該座標系における位置により表されてもよい。
【００２３】
本実施例では、位置情報検出機１００ａ、１００ｂ、１００ｃ、１００ｄ、１００ｅ、１００ｆ、１００ｇ、１００ｈ、１００ｉ、および１００ｊの位置を示す位置情報をそれぞれ位置情報Ｘａ、Ｘｂ、Ｘｃ、Ｘｄ、Ｘｅ、Ｘｆ、Ｘｇ、Ｘｈ、Ｘｉ、およびＸｊにより示し、位置情報検出機１００ａ−１００ｊのうち任意の位置情報検出機１００の位置情報を「位置情報Ｘ」により示す。
【００２４】
各位置情報検出機１００ａ−１００ｊは、第１の通信端末２００および第２の通信端末４００から識別情報が通知された場合、該識別情報とともに、自位置情報検出機が格納する位置情報をサーバ６００に通知する。
【００２５】
サーバ６００は、会議室毎に、各会議室に設置されるプロジェクタ５００の識別情報と、ユーザとスクリーンとの間の距離と、該距離に応じた適切なプロジェクタ５００のランプパワー情報とを紐付けて格納する。ユーザとスクリーンとの間の距離が１又は複数の区間に分けられ、各区間に対して適切なプロジェクタ５００のランプパワー情報が紐付けられる。これらの情報は、サーバ６００に予め設定される。会議室の明るさ、スクリーン３００の材質などにより、適切なランプパワーが異なるためである。
【００２６】
サーバ６００は、位置情報検出機１００から通知される各第１の通信端末２００ａ−２００ｄに対応する位置情報と、第２の通信端末４００に対応する位置情報に基づいて、プロジェクタ５００に設定するランプパワーを求める。サーバ６００は、プロジェクタ５００に、設定するランプパワーの設定情報（以下、「ランプパワー設定情報」という）を通知する。
【００２７】
プロジェクタ５００は、スクリーン３００に任意の情報・映像を投影する。プロジェクタ５００は、サーバ６００から通知されるランプパワー設定情報に基づいて、ランプパワーを設定する。
【００２８】
以下、位置情報検出機１００、第１の通信端末２００、第２の通信端末４００、サーバ６００およびプロジェクタ５００について具体的に説明する。
【００２９】
図２は、無線ネットワークプロジェクタシステムの一実施例を示す。
【００３０】
図２には、位置情報検出機１００、第１の通信端末２００、第２の通信端末４００、サーバ６００およびプロジェクタ５００の主にハードウェア構成が示される。
【００３１】
＜位置情報検出機１００＞
位置情報検出機１００は、ネットワークI/Fユニット１０２と、システム制御ユニット１０４と、記憶部１０６と、通信部１０８とを備える。
【００３２】
ネットワークI/Fユニット１０２は、通信網７００との間のI/Fであり、通信網７００を介して、プロジェクタ５００およびサーバ６００との間で通信を行う。ネットワークI/Fユニット１０２と、通信網７００との間は、有線接続されてもよいし、無線接続されてもよい。
【００３３】
システム制御ユニット１０４は、ネットワークI/Fユニット１０２と接続される。システム制御ユニット１０４は、位置情報検出機１００を制御する。システム制御ユニット１０４は、CPUなどの演算処理装置により実現される。
【００３４】
記憶部１０６は、システム制御ユニット１０４と接続される。記憶部１０６は、位置情報検出機１００の位置情報Ｘを格納する。また、記憶部１０６は、位置情報検出機１００を動作させるための各種プログラムを格納する。
【００３５】
図３は、記憶部１０６に格納される位置情報Ｘの一例を示す。
【００３６】
位置情報Ｘは、位置情報検出機１００の設置された緯度、経度、会議室Ｎｏ．である。位置情報Ｘは、会議室Ｎｏ．を除いた位置情報検出機１００の設置された緯度、経度であってもよい。
【００３７】
通信部１０８は、システム制御ユニット１０４と接続される。通信部１０８は、近距離無線通信技術による無線通信機能を備え、第１の通信端末２００および第２の通信端末４００との間で無線通信を行う。通信部１０８は、第１の通信端末２００および第２の通信端末４００から無線送信される識別情報を受信する。通信部１０８は、定期的に識別情報を受信するのが好ましい。
【００３８】
＜位置情報検出機１００の機能＞
図４は、位置情報検出機１００の機能の一実施例を示す。
【００３９】
図４の機能ブロック図により表される機能は、主に、システム制御ユニット１０４により実行される。システム制御ユニット１０４の演算処理装置は、識別情報取得部１０４２と、位置通知情報作成部１０４４として機能する。
【００４０】
演算処理装置は、演算処理装置の内部に記憶されたアプリケーションプログラム（ファームウェア）、あるいは演算処理装置の外部に設けられた記憶部１０６に記憶されるアプリケーションプログラムに従って、識別情報取得部１０４２と、位置通知情報作成部１０４４としての機能を実行する。
【００４１】
識別情報取得部１０４２は、通信部１０８により受信される第１の通信端末２００および第２の通信端末４００の識別情報を取得する。識別情報取得部１０４２は、位置通知情報作成部１０４４へ、第１の通信端末２００および第２の通信端末４００からの識別情報を入力する。
【００４２】
位置通知情報作成部１０４４は、識別情報取得部１０４２と接続される。位置通知情報作成部１０４４は、識別情報取得部１０４２から識別情報が入力された場合に、記憶部１０６に格納された位置情報を取得する。位置通知情報作成部１０４４は、記憶部１０６から取得した位置情報に、識別情報取得部１０４２から入力された識別情報を付加し、宛先をサーバ６００とする位置通知情報を作成する。位置通知情報作成部１０４４は、I/Fユニット１０２から位置通知情報を送信する。位置通知情報作成部１０４４は、定期的に位置通知情報を送信するのが好ましい。
【００４３】
＜第１の通信端末２００＞
第１の通信端末２００は、通信部２０２と、システム制御ユニット２０４と、記憶部２０６とを備える。
【００４４】
通信部２０２は、近距離無線通信技術による無線通信機能を備え、位置情報検出機１００へ、識別通知情報を無線送信する。
【００４５】
システム制御ユニット２０４は、通信部２０２と接続される。システム制御ユニット２０４は、第１の通信端末２００を制御する。システム制御ユニット２０４は、CPUなどの演算処理装置により実現される。
【００４６】
記憶部２０６は、システム制御ユニット２０４と接続される。記憶部２０６は、第１の通信端末２００の端末情報を格納する。また、記憶部２０６は、第１の通信端末２００を動作させるための各種プログラムを格納する。
【００４７】
図５は、記憶部２０６に格納される端末情報の一例を示す。
【００４８】
端末情報は、識別情報、種別である。種別情報は、第１の通信端末２００に固有の情報である。種別は、第１の通信端末２００を有するものの種類を示す情報である。例えば、第１の通信端末２００をユーザが有する場合には種別はユーザとされ、スクリーンが有する（取り付けられる）場合には種別はスクリーンとされる。ユーザ、スクリーンに限らず、他のものが有する場合には、該「もの」を示す情報で表される。
【００４９】
図５に示される例では、識別情報として「ｒｒｔｓ」が格納され、種別として「ユーザ」が格納される。識別情報の一例は、第１の通信端末１００のＭＡＣアドレスである。ＭＡＣアドレスに限らず第１の通信端末を識別できる情報であれば、ＭＡＣアドレス以外の情報であってもよい。種別の一例は、識別情報が第１の通信端末２００からのものであるか第２の通信端末４００からのものであるかを識別するためのものである。サーバ６００において、識別情報により第１の通信端末２００と第２の通信端末４００とを識別できる場合には、種別は必要ない。
【００５０】
＜第１の通信端末２００の機能＞
図６は、第１の通信端末２００の機能の一実施例を示す。
【００５１】
図６の機能ブロック図により表される機能は、主に、システム制御ユニット２０４により実行される。システム制御ユニット２０４の演算処理装置は、端末通知情報作成部２０４２として機能する。
【００５２】
演算処理装置は、演算処理装置の内部に記憶されたアプリケーションプログラム（ファームウェア）、あるいは演算処理装置の外部に設けられた記憶部２０６に記憶されるアプリケーションプログラムに従って、端末通知情報作成部２０４２としての機能を実行する。
【００５３】
端末通知情報作成部２０４２は、記憶部２０６に格納された端末情報を取得し、宛先をサーバ６００とする該端末情報を付加した端末通知情報を作成する。端末通知情報作成部２０４２は、通信部２０２から端末通知情報を送信する。端末通知情報作成部２０４２は、定期的に通信部２０２から端末通知情報を送信するのが好ましい。
【００５４】
＜第２の通信端末４００＞
第２の通信端末４００は、通信部４０２と、システム制御ユニット４０４と、記憶部４０６とを備える。
【００５５】
通信部４０２は、近距離無線通信技術による無線通信機能を備え、位置情報検出機１００へ、識別通知情報を無線送信する。
【００５６】
システム制御ユニット４０４は、通信部４０２と接続される。システム制御ユニット４０４は、第２の通信端末４００を制御する。システム制御ユニット４０４は、CPUなどの演算処理装置により実現される。
【００５７】
記憶部４０６は、システム制御ユニット４０４と接続される。記憶部４０６は、第２の通信端末４００の端末情報を格納する。また、記憶部４０６は、第２の通信端末４００を動作させるための各種プログラムを格納する。
【００５８】
記憶部４０６に格納される端末情報の一例は、図５に示される端末情報と同様の情報が適用される。また、記憶部４０６は、第２の通信端末４００を動作させるための各種プログラムを格納する。
【００５９】
＜第２の通信端末４００の機能＞
図７は、第２の通信端末４００の機能の一実施例を示す。
【００６０】
図７の機能ブロック図により表される機能は、主に、システム制御ユニット４０４により実行される。システム制御ユニット４０４の演算処理装置は、端末通知情報作成部４０４２として機能する。
【００６１】
演算処理装置は、演算処理装置の内部に記憶されたアプリケーションプログラム（ファームウェア）、あるいは演算処理装置の外部に設けられた記憶部４０６に記憶されるアプリケーションプログラムに従って、端末通知情報作成部４０４２としての機能を実行する。
【００６２】
端末通知情報作成部４０４２は、記憶部４０６に格納された端末情報を取得し、宛先をサーバ６００とする該端末情報を付加した端末通知情報を作成する。端末通知情報作成部４０４２は、通信部４０２から端末通知情報を送信する。端末通知情報作成部４０４２は、定期的に通信部４０２から端末通知情報を送信するのが好ましい。
【００６３】
＜サーバ６００＞
サーバ６００は、通信部としてのネットワークI/Fユニット６０２と、システム制御ユニット６０４と、記憶部６０６とを備える。
【００６４】
ネットワークI/Fユニット６０２は、通信網７００との間のI/Fであり、通信網７００を介して、位置情報検出機１００およびプロジェクタ５００との間で通信を行う。ネットワークI/Fユニット６０２と、通信網７００との間は、有線接続されてもよいし、無線接続されてもよい。
【００６５】
システム制御ユニット６０４は、ネットワークI/Fユニット６０２と接続される。システム制御ユニット６０４は、サーバ６００を制御する。システム制御ユニット６０４は、CPUなどの演算処理装置により実現される。
【００６６】
記憶部６０６は、システム制御ユニット６０４と接続される。記憶部６０６は、会議室毎に、設置されているプロジェクタ５００の識別情報と、ユーザとスクリーンとの間の距離と、該距離に応じた適切なプロジェクタ５００のランプパワー情報とを紐付けて格納する。また、記憶部６０６は、サーバ６００を動作させるための各種プログラムを格納する。
【００６７】
図８は、記憶部６０６に格納される各会議室のプロジェクタの適切なランプパワーの一例を示す。
【００６８】
会議室の識別情報は、会議室No.により表される。プロジェクタ５００の識別情報は、プロジェクタ５００の機種名とIPアドレスにより表される。ユーザとスクリーンとの間の距離は、１又は複数の区間により表される。プロジェクタ５００のランプパワー情報は、小、中、大、最大により表される。これらは一例であり、他の情報により表されてもよい。
【００６９】
図８に示される例では、会議室No.1のプロジェクタの機種名は「W4430」でIPアドレスは「255.255.255.001」である。ユーザとスクリーンとの間の距離が５メートル未満（〜５ｍ）である場合の適切なプロジェクタ５００のランプパワーは「小」である。ユーザとスクリーンとの間の距離が５メートル以上１０メートル未満（５ｍ〜１０ｍ）である場合の適切なプロジェクタ５００のランプパワーは「中」である。ユーザとスクリーンとの間の距離が１０メートル以上（１０ｍ〜）である場合の適切なプロジェクタ５００のランプパワーは「大」である。
【００７０】
また、会議室No.2のプロジェクタの機種名は「X2561」でIPアドレスは「255.255.255.002」である。ユーザとスクリーンとの間の距離が２メートル未満（〜２ｍ）である場合の適切なプロジェクタ５００のランプパワーは「小」である。ユーザとスクリーンとの間の距離が２メートル以上５メートル未満（２ｍ〜５ｍ）である場合の適切なプロジェクタ５００のランプパワーは「中」である。ユーザとスクリーンとの間の距離が５メートル以上１０メートル未満（５ｍ〜１０ｍ）である場合の適切なプロジェクタ５００のランプパワーは「大」である。ユーザとスクリーンとの間の距離が１０メートル以上（１０ｍ〜）である場合の適切なプロジェクタ５００のランプパワーは「最大」である。
【００７１】
＜サーバ６００の機能＞
図９は、情報処理装置としてのサーバ６００の機能の一実施例を示す。
【００７２】
図９の機能ブロック図により表される機能は、主に、システム制御ユニット６０４により実行される。システム制御ユニット６０４の演算処理装置は、距離演算部６０４２と、ランプパワー決定部６０４４として機能する。
【００７３】
演算処理装置は、演算処理装置の内部に記憶されたアプリケーションプログラム（ファームウェア）、あるいは演算処理装置の外部に設けられた記憶部６０６に記憶されるアプリケーションプログラムに従って、距離演算部６０４２と、ランプパワー決定部６０４４としての機能を実行する。
【００７４】
距離演算部６０４２は、ネットワークI/Fユニット６０２により受信される位置情報検出機１００からの位置通知情報に基づいて、第１の通信端末と第２の通信端末との間の距離、換言すればスクリーン３００とユーザとの間の距離を演算する。具体的には、距離演算部６０４２は、各ユーザとスクリーン３００との間の距離の平均値（以下、「平均距離」という）を求める。つまり、各ユーザとスクリーン３００との間の距離の平均距離をユーザとスクリーンとの間の距離の推定値とする。距離演算部６０４２は、ランプパワー決定部６０４４に平均距離を入力する。
【００７５】
各ユーザとスクリーン３００との間の距離の平均値を求めるのは一例であり、平均値以外のものにより、ランプパワーが求められてもよい。例えば、各ユーザの分布状況に基づいて、ユーザの位置の代表値を求め、該代表値とスクリーン３００との間の距離を求めるようにしてもよい。
【００７６】
第１の通信端末および第２の通信端末の移動に応じて、第１の通信端末の位置情報と第２の通信端末の位置情報が前回と異なる場合に、第１の通信端末と第２の通信端末との間の距離の再演算が実行されるのが好ましい。
【００７７】
ランプパワー決定部６０４４は、距離演算部６０４２と接続される。ランプパワー決定部６０４４は、距離演算部６０４２からの平均距離に基づいて、ランプ５４０のパワーを決定する。ランプパワー決定部６０４４は、記憶部６０６に格納される各会議室のプロジェクタの適切なランプパワーを参照し、プロジェクタが設置された会議室Ｎｏ．を特定し、該会議室における平均距離に対応するランプパワーを特定する。ランプパワー決定部６０４４は、ネットワークI/Fユニット６０２から、プロジェクタ５００へ、特定したランプパワーのランプパワー設定情報を送信する。
【００７８】
また、距離演算部６０４２は、記憶部６０６に、位置情報検出機１００からの位置情報を格納する。
【００７９】
図１０は、位置情報検出機１００からの位置情報に基づいて、距離演算部６０４２により記憶部６０６に格納される情報の一例を示す。
【００８０】
図１０には、管理ＩＤと、識別情報と、種別と、経度と、緯度と、会議室Ｎｏ．と、受信日時とが紐付けられる。管理ＩＤと、受信日時は、距離演算部６０４２において付与されるのが好ましい。識別情報と種別は、位置情報検出機１００からの位置通知情報の第１の通信端末２００および第２の通信端末４００の端末情報である。経度と緯度と会議室Ｎｏ．は、位置情報検出機１００の位置情報である。
【００８１】
記憶部６０６に格納される情報は、第１の通信端末２００、および第２の通信端末４００の移動に伴い位置通知情報を通知する位置情報検出機が異なる度に更新されるのが好ましい。位置情報検出機１００から通知される位置通知情報に基づいて、記憶部６０６に格納されている識別情報と位置情報との対応が、通知された位置通知情報に格納される識別情報と位置情報との対応と異なる場合には、位置情報検出機から通知されたものに更新する。具体的には、記憶部６０６に格納されている位置情報の該当部分（管理ID、識別情報、種別、緯度、経度、会議室No.、受信日時）を削除し、位置情報検出機から通知される位置通知情報に付加されている識別情報および位置情報を新たに追加する。
【００８２】
＜プロジェクタ５００＞
プロジェクタ５００は、ネットワークボード５０２と、メインボード５１２とを有する。さらに、プロジェクタ５００は、リモコン受信機５２４と、操作パネル５２６と、表示装置５２８と、加速度センサ５３０と、温度センサ５３２と、電源５３４と、ファン５３６と、ランプ制御ユニット５３８と、ランプ５４０と、光学部５４２とを有する。また、プロジェクタ５００には、リモコン５４４と、ＵＳＢメモリ５４６が付属していてもよい。
【００８３】
ネットワークボード５０２は、通信網７００へ、プロジェクタ５００を接続するために使用される。ネットワークボード５０２は、通信網７００を介して、サーバ６００との間で通信を行う。ネットワークボード５０２と、通信網７００との間は、有線接続されてもよいし、無線接続されてもよい。本実施例では、ネットワークボード５０２と、通信網７００との間は、有線接続される。
【００８４】
ネットワークボード５０２は、ネットワークI/Fユニット５０４と、USB I/Fユニット５０６と、ネットワークシステム制御ユニット５０８と、記憶部５１０とを備える。
【００８５】
ネットワークI/Fユニット５０４は、通信網７００との間のI/Fであり、通信網７００を介して、サーバ６００との間で通信を行う。ネットワークI/Fユニット５０４と、通信網７００との間は、有線接続されてもよいし、無線接続されてもよい。ネットワークI/Fユニット５０４は、サーバ６００から通信網７００を介して通知されるランプパワー設定情報を受信する。ネットワークI/Fユニット５０４は、ネットワークシステム制御ユニット５０８へランプパワー設定情報を入力する。
【００８６】
USB I/Fユニット５０６は、USBメモリ５４６との間のI/Fであり、USBメモリ５４６に格納された情報を取得し、該情報を処理する。USBメモリ５４６に格納された情報の一例は、プロジェクタ５００で投影する映像情報である。USB I/Fユニット５０６は、ネットワークシステム制御ユニット５０８へ映像情報を入力する。また、USB I/Fユニット５０６は、USBメモリ５４６へ情報を格納するようにしてもよい。
【００８７】
ネットワークシステム制御ユニット５０８は、ネットワークI/Fユニット５０４と、USB I/Fユニット５０６と接続される。ネットワークシステム制御ユニット５０８は、メインボード５１２へ、ネットワークI/Fユニット５０４からのランプパワー設定情報と、USB I/Fユニット５０６からの映像情報を入力する。
【００８８】
記憶部５１０は、ネットワークシステム制御ユニット５０８と接続される。記憶部５１０は、ネットワークボードに関する情報を格納する。また、記憶部５１０は、ネットワークシステム制御ユニット５０８による処理を実行させるプログラムを格納する。
【００８９】
メインボード５１２は、映像信号処理ユニット５１４と、電源制御ユニット５１６と、システム制御ユニット５１８と、記憶部５２０と、光学制御ユニット５２２とを備える。
【００９０】
映像信号処理ユニット５１４は、メインボード５１２が対応する入力種別の信号ポートからの映像信号を処理する。入力種別の一例は、コンピュータ、YPbPr（ハイビジョン向け色割合の信号）、HDMI（登録商標）(High-Definition Multimedia Interface)、ビデオ信号である。信号ポートの一例は、コンピュータ、HDMI、ビデオである。
【００９１】
電源制御ユニット５１６は、電源５３４と接続される。電源制御ユニット５１６は、電源５３４を制御する。
【００９２】
システム制御ユニット５１８は、映像信号処理ユニット５１４と、電源制御ユニット５１６と接続される。システム制御ユニット５１８は、プロジェクタ５００を制御する。システム制御ユニット５１８は、CPUなどの演算処理装置により実現される。
【００９３】
記憶部５２０は、システム制御ユニット５１８と接続される。記憶部５２０は、メインボード５１２に関する情報を格納する。また、記憶部５２０は、メインボード５１２を動作させるための各種プログラムを格納する。
【００９４】
光学制御ユニット５２２は、システム制御ユニット５１８と接続される。光学制御ユニット５２２は、光学部５４２を制御する。
【００９５】
リモコン受信機５２４は、システム制御ユニット５１８と接続される。リモコン受信機５２４は、リモコン５４４から発せられた操作信号を受信し、該操作信号により示される操作情報をシステム制御ユニット５１８に入力する。
【００９６】
操作パネル５２６は、システム制御ユニット５１８と接続される。操作パネル５２６は、プロジェクタ５００を操作するためのキーを備える。操作パネル５２６は、ユーザによる操作に対応する制御信号をシステム制御ユニット５１８に入力する。
【００９７】
表示装置５２８は、システム制御ユニット５１８と接続される。表示装置５２８は、システム制御ユニット５１８による制御によりユーザに通知する情報を表示する。表示装置５２８の一例は、LED(Light Emitting Diode)、インジケータ、液晶パネルである。
【００９８】
加速度センサ５３０は、システム制御ユニット５１８と接続される。加速度センサ５３０は、プロジェクタ５００の加速度を検知する。加速度センサ５３０により検知された加速度は、システム制御ユニット５１８に入力される。
【００９９】
温度センサ５３２は、システム制御ユニット５１８と接続される。温度センサ５３２は、プロジェクタ５００の温度を検知する。温度センサ５３２により検知された温度情報は、システム制御ユニット５１８に入力される。
【０１００】
電源５３４は、電源制御ユニット５１６と接続される。電源５３４は、電源制御ユニット５１６による制御により、プロジェクタ５００に電源を供給する。
【０１０１】
ファン５３６は、システム制御ユニット５１８と接続される。ファン５３６は、プロジェクタ５００本体を冷却する。具体的には、ファン５３６により電源５３４、光学部５４２などが冷却される。
【０１０２】
ランプ制御ユニット５３８は、システム制御ユニット５１８と接続される。ランプ制御ユニット５３８は、システム制御ユニット５１８による制御にしたがってランプ５４０を制御する。例えば、ランプ制御ユニット５３８は、システム制御ユニット５１８からのランプパワー設定情報にしたがって、ランプ５４０のパワーを制御する。
【０１０３】
ランプ５４０は、ランプ制御ユニット５３８と接続される。ランプ５４０は、ランプ制御ユニット５３８により設定されるパワーで動作する。
【０１０４】
光学部５４２は、光学制御ユニット５２２と接続される。光学部５４２は、スクリーン３００に投影する映像を投射する。光学部５４２の一例は、プロジェクタ５００が液晶プロジェクタである場合には液晶、DLP(Digital Light Processing) プロジェクタである場合にはDMD(Digital Mirror Device)やカラーホイールである。
【０１０５】
＜プロジェクタ５００の機能＞
図１１は、プロジェクタ５００の機能の一実施例を示す。
【０１０６】
図１１の機能ブロック図により表される機能は、主に、システム制御ユニット５１８により実行される。システム制御ユニット５１８の演算処理装置は、制御部５１８２と、ランプパワー設定部５１８４として機能する。
【０１０７】
演算処理装置は、演算処理装置の内部に記憶されたアプリケーションプログラム（ファームウェア）、あるいは演算処理装置の外部に設けられた記憶部５２０に記憶されるアプリケーションプログラムに従って、制御部５１８２、およびランプパワー設定部５１８４としての機能を実行する。
【０１０８】
制御部５１８２は、電源制御ユニット５１６に接続された電源５３４からの電源により動作する。
【０１０９】
制御部５１８２は、操作パネル５２６からの制御信号や、リモコン受信機５２４からの操作信号に応じて所定の制御を実行する。制御部５１８２は、操作パネル５２６への操作内容や、リモコン受信機５２４からの操作信号により表される操作内容を表示装置５２８に表示する。
【０１１０】
制御部５１８２は、光学制御ユニット５２２を制御することにより、映像信号処理ユニット５１４からの映像信号をスクリーン３００に投影する制御を実行する。
【０１１１】
制御部５１８２は、温度センサ５３２により検出された温度に基づいて、ファン５３６を制御する。
【０１１２】
制御部５１８２は、加速度センサ５３０により検出された加速度に基づいて、所定の制御を実行する。
【０１１３】
制御部５１８２は、ランプパワー設定部５１８４へ、ネットワークシステム制御ユニット５０８からのランプパワー設定情報を入力する。
【０１１４】
ランプパワー設定部５１８４は、制御部５１８２と接続される。ランプパワー設定部５１８４は、制御部５１８２からのランプパワー設定情報に基づいて、ランプパワーをランプ制御ユニット５３８に設定する。
【０１１５】
＜通信システムの動作＞
図１２は、無線ネットワークプロジェクタシステムの動作の一実施例を示す。図１２に示される図では、第１の通信端末２００および位置情報検出機１００は１台について示されているが、複数であるのが好ましい。
【０１１６】
ステップＳ１２０２では、第１の通信端末２００は、近傍の位置情報検出機１００に識別通知情報を送信する。
【０１１７】
ステップＳ１２０４では、第２の通信端末４００は、近傍の位置情報検出機１００に識別通知情報を送信する。
【０１１８】
ステップＳ１２０６では、第１の通信端末２００または第２の通信端末４００から識別通知情報を通知された位置情報検出機１００は、サーバ６００に該識別通知情報の識別情報を該位置情報検出機１００の位置情報に付加した位置通知情報を送信する。
【０１１９】
ステップＳ１２０８では、サーバ６００は、位置情報検出機１００からの位置通知情報に基づいて、第１の通信端末２００と第２の通信端末４００との間の距離、換言すればユーザとスクリーンとの間の距離を演算する。
【０１２０】
ステップＳ１２１０では、サーバ６００は、記憶部６０６に格納される各会議室のプロジェクタの適切なランプパワーを参照し、ユーザとスクリーンとの間の距離に基づいて、ランプパワーを決定する。
【０１２１】
ステップＳ１２１２では、サーバ６００は、プロジェクタ５００にランプパワー設定情報を送信する。
【０１２２】
ステップＳ１２１４では、プロジェクタ５００は、サーバ６００からのランプパワー設定情報に基づいて、ランプパワーを変更する。
【０１２３】
＜サーバ６００の動作＞
図１３は、サーバ６００の動作の一実施例を示すフローチャートである。
【０１２４】
ステップＳ１３０２では、サーバ６００は、位置情報検出機１００からの位置通知情報の受信のために待機する。
【０１２５】
ステップＳ１３０４では、サーバ６００は、位置情報検出機１００から位置通知情報を受信する。
【０１２６】
ステップＳ１３０６では、サーバ６００は、会議室のユーザとスクリーンからの位置通知情報が揃っているか否かを判定する。距離演算部６０４２は、位置情報検出機１００から受信した位置通知情報に付加されている識別情報に基づいて、会議室のユーザとスクリーンの位置情報が揃っているか否かを判定する。会議室に入室予定のユーザの識別情報がサーバ６００に予め設定される。会議室のユーザとスクリーンの位置情報が揃っていないと判定した場合、ステップＳ１３０２へ戻る。
【０１２７】
ステップＳ１３０８では、会議室のユーザとスクリーンの位置通知情報が揃っていると判定した場合、距離演算部６０４２は、ユーザ#ｎ（ｎは、会議室のユーザを示し、初期値は１である）とスクリーンの位置情報（緯度、経度）から、ユーザとスクリーンとの間の距離を算出する。
【０１２８】
ステップＳ１３１０では、距離演算部６０４２は、会議室の全てのユーザに関して、ユーザとスクリーンとの間の距離を算出済みであるか否かを判断する。
【０１２９】
ステップＳ１３１２では、会議室の全てのユーザに関して、ユーザとスクリーンとの間の距離を算出済みでないと判定した場合、距離演算部６０４２は、次のユーザ情報を参照し、ステップＳ１３０８へ遷移する。
【０１３０】
ステップＳ１３１４では、ステップＳ１３１０で、会議室の全てのユーザに関して、ユーザとスクリーンとの間の距離を算出済みであると判定した場合、距離演算部６０４２は、算出した各距離の平均値（平均距離）を算出する。
【０１３１】
ステップＳ１３１６では、ランプパワー決定部６０４４は、ステップＳ１３１４で算出した平均値に対応するランプパワーを取得する。
【０１３２】
ステップＳ１３１８では、距離演算部６０４２は、プロジェクタ５００へ、ランプパワー設定情報を送信する。プロジェクタ５００は、サーバ６００からのランプパワー設定情報にしたがって、ランプパワーを設定する。
【０１３３】
無線ネットワークプロジェクタシステムの一実施例によれば、スクリーンの位置情報と各ユーザの位置情報から、スクリーンとユーザとの間の距離を算出し、該距離に応じたランプパワーをプロジェクタに設定できる。
【０１３４】
このため、ユーザ自らプロジェクタを操作することなく、適切なランプパワーに設定できるので、ユーザビリティを向上させることができる。例えば、スクリーンに近い位置にユーザがいる場合、ランプパワーを低下させることにより、省電力を達成できるとともに、ランプの寿命を長くできる。
【０１３５】
＜変形例＞
無線ネットワークプロジェクタシステムの一変形例は、図１に示す無線ネットワークプロジェクタシステムが適用される。
【０１３６】
無線ネットワークプロジェクタシステムの一変形例では、位置情報検出機１００は、自位置情報検出機１００の位置情報を屋内αにおける下側に送信する。例えば、屋内ＧＰＳと呼ばれる屋内測位技術の１つであるＩＭＥＳ(Indoor MEssaging System)を利用し、位置情報を配信することができる。
【０１３７】
第１の通信端末２００は、位置情報検出機１００からの位置情報を受信すると、宛先を該位置情報検出機１００とし、該位置情報と第１の通信端末２００の識別情報とを付加した端末通知情報を送信する。
【０１３８】
第２の通信端末４００についても第１の通信端末２００と同様に、位置情報検出機１００からの位置情報を受信すると、宛先を該位置情報検出機１００とし、該位置情報と第２の通信端末４００の識別情報とを付加した端末通知情報を送信する。
【０１３９】
位置情報検出機１００は、第１の通信端末２００および第２の通信端末４００から受信した端末通知情報をサーバ６００へ送信（転送）する。
【０１４０】
サーバ６００の処理は、上述した実施例が適用される。
【０１４１】
無線ネットワークプロジェクタシステムの一変形例によれば、位置情報検出機１００は、位置情報を送信した後は、第１の通信端末２００および第２の通信端末４００から通知される識別通知情報をサーバ６００に転送する処理を行うだけでよいので、上述した実施例と比較して、位置情報検出機１００の処理負荷を低減できる。
【０１４２】
本発明は特定の実施例、変形例を参照しながら説明されてきたが、各実施例、変形例は単なる例示に過ぎず、当業者は様々な変形例、修正例、代替例、置換例等を理解するであろう。説明の便宜上、本発明の実施例に従った装置は機能的なブロック図を用いて説明されたが、そのような装置はハードウェアで、ソフトウエアで又はそれらの組み合わせで実現されてもよい。本発明は上記実施例に限定されず、本発明の精神から逸脱することなく、様々な変形例、修正例、代替例、置換例等が包含される。
【符号の説明】
【０１４３】
１００（１００ａ−１００ｊ）  位置情報検出機
１０２  ネットワークI/Fユニット
１０４  システム制御ユニット
１０６  記憶部
１０８  通信部
２００（２００ａ−２００ｄ）  第１の通信端末
２０２  通信部
２０４  システム制御ユニット
２０６  記憶部
３００  スクリーン
４００  第２の通信端末
４０２  通信部
４０４  システム制御ユニット
４０６  記憶部
５００  プロジェクタ
５０２  ネットワークボード
５１２  メインボード
６００  サーバ
６０２  ネットワークI/Fユニット
６０４  システム制御ユニット
６０６  記憶部
７００  通信網
【先行技術文献】
【特許文献】
【０１４４】
【特許文献１】特願２００４−３６４０３号公報
【図１】
2015022017.tif 000003
【図２】
2015022017.tif 000004
【図３】
2015022017.tif 000005
【図４】
2015022017.tif 000006
【図５】
2015022017.tif 000007
【図６】
2015022017.tif 000008
【図７】
2015022017.tif 000009
【図８】
2015022017.tif 000010
【図９】
2015022017.tif 000011
【図１０】
2015022017.tif 000012
【図１１】
2015022017.tif 000013
【図１２】
2015022017.tif 000014
【図１３】
2015022017.tif 000015